(57)【要約】【課題】  遠赤外線の放射性やエネルギー放射性の鉱物の作用を有効に利用することができ、保温作用等の有効な作用効果を得ることができ、快適に使用することができる寝具を提供する。【解決手段】  遠赤外線あるいはエネルギー放射性を有する鉱物の破砕物またはマイナスイオン発生鉱物の破砕物４をパイプ３に充填して形成したパイプ体５を装着して形成された寝具であって、寝具の本体に前記パイプ体５を挿抜して装着する複数の装着部６が設けられている。パイプ体５は凹溝状に形成された装着部６に挿入するようにして装着される。【選択図】          図１
2006271506.tif 000002
【特許請求の範囲】
【請求項１】
遠赤外線あるいはエネルギー放射性を有する鉱物の破砕物またはマイナスイオン発生鉱物の破砕物をパイプに充填して形成したパイプ体を装着して形成された寝具であって、
寝具の本体に前記パイプ体を挿抜して装着する複数の装着部が設けられていることを特徴とする寝具。
【請求項２】
前記装着部が、所定の厚さに形成されたシーツ本体の一方の面側に、前記パイプ体を挿入して装着可能な凹溝状に形成され、
該装着部に前記パイプ体が挿入して装着されていることを特徴とする請求項１記載の寝具。
【請求項３】
前記装着部が、シーツの表地と裏地とを縫い合わせて前記パイプ体が挿入される細長の袋状に形成され、
前記シーツの一方の側縁に、前記複数の装着部の開口部側に連通するファスナーが設けられていることを特徴とする請求項１記載の寝具。
【請求項４】
インナー部材に、前記パイプ体を収納する装着部が形成され、
該装着部が形成されたインナー部材が、毛布の外表地と外裏地とに挟まれて支持されるとともに、前記外表地に、前記複数の装着部の開口部側に連通するファスナーが設けられていることを特徴とする請求項１記載の寝具。
【請求項５】
前記装着部が、前記パイプ体の収納位置に合わせて抜き溝が形成された不織布を中表地と中裏地とにより挟み、パイプ体を収納する凹部として形成されていることを特徴とする請求項４記載の寝具。
【請求項６】
インナー部材に、表生地と裏生地とでパイプ体を挟んで収納する袋状に形成された装着部が形成され、
該装着部が形成されたインナー部材が、ベッドカバーのカバー生地に縫い付けられるとともに、前記カバー生地に前記装着部の開口部側に連通するファスナーが取り付けられていることを特徴とする請求項１記載の寝具。
【請求項７】
前記パイプ体を構成するパイプに、多数個の小孔が貫通して設けられていることを特徴とする請求項１〜６のいずれか一項記載の寝具。
【発明の詳細な説明】
【技術分野】
【０００１】
本発明は寝具に関し、より詳細には、遠赤外線等の作用を利用して好適な保温作用および安眠作用を得ることができる、布団、毛布、シーツ等の寝具に関する。
【背景技術】
【０００２】
遠赤外線あるいはエネルギー放射性の鉱物を用いたサポーター、バンドなどの保温具、また、シーツや布団等の寝具類について、従来、種々の提案がなされてきた（特許文献１、２参照）。たとえば、寝具類では、シーツ等に遠赤外線を放射する鉱物を塗着し、あるいは放射性鉱物の粉末を混入した合成樹脂を寝具に塗着したものや、鉱物材料を添加した配合剤を紡糸した繊維を使用して寝具に形成するといったものが考えられている。
【特許文献１】特開２００４−１２１６８５号公報
【特許文献２】特開２００４−１２１７７２号公報
【発明の開示】
【発明が解決しようとする課題】
【０００３】
遠赤外線の放射源あるいはエネルギー放射性の鉱物、マイナスイオン発生鉱物を寝具等に利用することによって一定の温熱作用やマイナスイオン効果によって保温および安眠作用が得られることについては従来から知られているところであるが、これらの遠赤外線の放射源およびエネルギー放射性の鉱物等を合成樹脂に添加して使用する方法や、繊維等に取り込む方法による場合では、これらの物質による作用が必ずしも有効に作用するとは限らず、遠赤外線やエネルギー放射性の鉱物による保温作用や安眠作用が十分に得られない場合がある。
【０００４】
そこで、本発明はこれらの課題を解決すべくなされたものであり、遠赤外線の放射性やエネルギー放射性の鉱物またはマイナスイオン発生鉱物の作用を効果的に利用することを可能とし、これによって保温作用等の有効な作用効果を得ることができる寝具を提供することを目的とする。
【課題を解決するための手段】
【０００５】
本発明は、上記目的を達成するため次の構成を備える。
すなわち、遠赤外線あるいはエネルギー放射性を有する鉱物の破砕物またはマイナスイオン発生鉱物の破砕物をパイプに充填して形成したパイプ体を装着して形成された寝具であって、寝具の本体に前記パイプ体を挿抜して装着する複数の装着部が設けられていることを特徴とする。
【０００６】
また、前記装着部が、所定の厚さに形成されたシーツ本体の一方の面側に、前記パイプ体を挿入して装着可能な凹溝状に形成され、該装着部に前記パイプ体が挿入して装着されていることを特徴とする。
また、前記装着部が、シーツの表地と裏地とを縫い合わせて前記パイプ体が挿入される細長の袋状に形成され、前記シーツの一方の側縁に、前記複数の装着部の開口部側に連通するファスナーが設けられていることを特徴とする。
【０００７】
また、インナー部材に、前記パイプ体を収納する装着部が形成され、該装着部が形成されたインナー部材が、毛布の外表地と外裏地とに挟まれて支持されるとともに、前記外表地に、前記複数の装着部の開口部側に連通するファスナーが設けられていることを特徴とする。
また、前記装着部が、前記パイプ体の収納位置に合わせて抜き溝が形成された不織布を中表地と中裏地とにより挟み、パイプ体を収納する凹部として形成されていることを特徴とする。
【０００８】
また、インナー部材に、表生地と裏生地とでパイプ体を挟んで収納する袋状に形成された装着部が形成され、該装着部が形成されたインナー部材が、ベッドカバーのカバー生地に縫い付けられるとともに、前記カバー生地に前記装着部の開口部側に連通するファスナーが取り付けられていることを特徴とする。
また、前記パイプ体を構成するパイプに、多数個の小孔が貫通して設けられていることを特徴とする。パイプに小孔を貫通させて設けたことにより、効果的にマイナスイオンを発生させることができる。
【発明の効果】
【０００９】
本発明に係る寝具は、遠赤外線の放射性あるいはエネルギー放射性を有する鉱物の破砕物またはマイナスイオン発生鉱物の破砕物をパイプに充填して形成したパイプ体が装着されていることにより、遠赤外線あるいはエネルギー放射性を有する鉱物の保温作用およびマイナスイオンによる作用を有効に利用することができ、すぐれた保温作用等を備える寝具として提供される。また、パイプ体は装着部に挿抜して着脱することができることから、季節に応じて寝具に装着するパイプ体の本数を調節する操作が簡単にでき、快適に使用することが可能になる。
【発明を実施するための最良の形態】
【００１０】
以下、本発明の好適な実施の形態について、添付図面にしたがって詳細に説明する。
（第１の実施の形態）
図１は、寝具の第１の実施の形態としてシーツ１０を構成した例を示す。図１(a)はシーツ１０の全体図であり、図１(b)はシーツ１０の側面図、図１(c)はシーツ１０の断面構造を拡大して示した断面図である。
【００１１】
本実施形態のシーツ１０は、図１(a)に示すように、低反発性のウレタンからなるシーツ本体１０ａに、シーツ１０の長手方向に対して所定間隔をあけて多数本のパイプ体５を装着してなるものである。パイプ体５は、細長いパイプ３内に、遠赤外線を放射する鉱物あるいはエネルギー放射性の鉱物とマイナスイオン発生鉱物を小片状に破砕して得た破砕物４を充填して形成されている。
なお、本実施形態で使用したパイプ３は長さ７００ｍｍ、外径５．４ｍｍ、内径４．２ｍｍのポリエチレン製のパイプである。
【００１２】
図１(b)に示すように、シーツ本体１０ａは薄厚に形成されるもので、本実施形態ではシーツ本体１０ａの厚さは１５〜３０ｍｍ程度としている。
図１(c)は、シーツ本体１０ａにパイプ体５を装着する装着部６を設け、装着部６にパイプ体５を装着した状態を拡大して示している。装着部６は、シーツ本体１０ａの一方の面側に、パイプ体５を収納するで凹溝状に形成してなるもので、シーツ体１０ａの一方の面側で開口するように設けられている。パイプ体５は各々の装着部６に開口部側から挿入するようにして装着される。
図１(c)では、パイプ３に、遠赤外線の放射性、エネルギー放射性およびマイナスイオンを放射する鉱物の破砕物４が充填されている状態を示す。
【００１３】
図１(b)は、シーツ本体１０ａの下面側に装着部６を設け、装着部６を下側とした例を示す。装着部６にパイプ体５を挿入した状態で装着部６からパイプ体５が抜け落ちないように装着部６の幅および深さを設定することで、装着部６の開口側を下向きとしてシーツ１０を使うことができる。もちろん、装着部６の開口側を上向きとして使用することもできる。パイプ体５は装着部６の内底面に沈み込ませるようにして装着するから、パイプ体５が身体に当たって痛くなるといったことはない。
なお、シーツ本体１０ａに面ファスナー７を取り付けてシーツ１０をふとんあるいはベッド等に係止させるようにすることもできる。
【００１４】
本実施形態のシーツ１０に装着したパイプ体５で使用している鉱物の破砕物４は、麦飯石とバーガトシュタイン鉱石とトルマリン鉱物を小片状に破砕して得たものである。麦飯石、バーガトシュタイン鉱石ともに、γ線核種分析によりトリウム系列放射能核種、ウラン系列放射能核種が検出されたが、他の放射性核種は検出されず、いずれも自然放射能であることが確認された。なお、麦飯石はトリウム系列放射能濃度０．３Bq/ｇ、ウラン系列放射能濃度０．９Bq/ｇ、全放射能濃度１．８Bq/ｇであった。また、バーガトシュタイン鉱石は、トリウム系列放射能濃度１．５Bq/ｇ、ウラン系列放射能濃度１２Bq/ｇ、全放射能濃度が１５Bq/ｇであり、放射線量は０．１７μSv/hr（バックグラウンド０．１１μSv/hr含む）であった。
パイプ体５に麦飯石とバーガトシュタイン鉱石を充填する際には、いずれか一方のみを充填して使用してもよいし、双方を混合して使用してもよい。
【００１５】
本実施形態のシーツ１０は、シーツ体１０ａにパイプ体５を装着する装着部６を多数個設けたことにより、遠赤外線の放射性あるいはエネルギー放射性の鉱物とマイナスイオン発生鉱物を充填したパイプ体５を多数本装着することができ、パイプ体５による遠赤外線の放射作用、エネルギー放射性の鉱物による保温作用、マイナスイオン効果を好適に得ることが可能となる。
パイプ体５は、遠赤外線の放射作用、エネルギー放射性の鉱物とマイナスイオン発生鉱物からなる破砕物４をパイプ３に充填してなるものであるから、繊維にエネルギー放射性の鉱物を混合させて布に形成したもの等と比較して、鉱物の破砕物４の作用をより直接的に身体に及ぼすことができ、これによって効果的な保温作用、マイナスイオンによる安眠効果を得ることが可能になる。
【００１６】
また、本実施形態のシーツ１０ではパイプ体５の着脱操作は、シーツ本体１０ａに設けた装着部６にパイプ体５を挿抜する操作によって行えるから、パイプ体５の着脱をきわめて簡単に行うことができる。したがって、季節に応じてシーツ１０に装着するパイプ体５の本数を増減させるといった操作が簡単にできるという利点がある。シーツ１０に装着するパイプ体５の本数を増やすと保温作用が大きくなるから、冬期は装着するパイプ体５の本数を多くし、春、夏においてはパイプ体５の本数を少なくするように調節することでシーツ１０を快適に使用することができる。
【００１７】
（第２の実施の形態）
図２、３はシーツの他の実施の形態を示している。図２(a)はシーツ１１の全体図であり、図２(b)はシーツ１１の部分拡大図である。本実施の形態のシーツ１１も上述した第１の実施の形態におけるシーツ１０と同様に、パイプ３に遠赤外線を放射する鉱物、あるいはエネルギー放射性の鉱物、マイナスイオン発生鉱物の破砕物４を充填して形成されたパイプ体５をシーツ１１の長手方向に所定間隔をあけて装着している。１２はパイプ体５を装着するための装着部である。
【００１８】
本実施形態のシーツ１１においては、装着部１２はシーツ１０の表地１４と裏地１６とを重ね合わせた中間に、パイプ体５を挿入して装着する細長の袋状に形成される。図２(b)に、装着部１２が一定間隔をあけて平行に配置されている様子を状態を拡大して示す。
なお、シーツ１１の周縁部については表地１４と裏地１６とをかがり縫いしたかがり縫い部１８に形成されるが、シーツ１１の長辺の一方の縁部については、装着部１２が形成された範囲に沿ってファスナー１９が取り付けられている。すなわち、シーツ１１のファスナー１９が装着されている一方の縁部側で装着部１２は開口して形成され、ファスナー１９を開くことにより装着部１２にパイプ体を挿入して装着することが可能となっている。
【００１９】
図３は、装着部１２を端面方向から見た状態を示すもので、シーツ１１の長手方向に所定間隔で装着部１２が配置されていることを示す。図３(b)に示すように、本実施形態では、裏地１６と共生地でパイプカバー部１６ａを設けて袋状に装着部１２を形成している。裏地１６およびパイプカバー部１６ａはやや張りのある滑りやすい生地を使用し、表地１４は毛布の裏地に使用している程度の、やや起毛性の生地を使用するのがよい。図３では、各々の装着部１２に、前記破砕物４がパイプ３に充填されたパイプ体５が挿入されて装着されている状態を示す。
【００２０】
図３は、装着部１２にパイプ体５が装着された状態をシーツ１０の短辺方向から見た状態を示す。細長いパイプ体５がシーツ１０の略全幅にわたって表地１４と裏地１６に挟まれて装着されている。図３(b)の拡大図に示すように、パイプ３に破砕物４が充填されたパイプ体５が装着部１２に装着される。
【００２１】
本実施形態のシーツ１１も第１の実施の形態において説明したシーツ１０と同様に、装着部１２に遠赤外線の放射体あるいはエネルギー放射性の鉱物とマイナスイオン発生鉱物を充填したパイプ体５を装着することによって、遠赤外線およびエネルギー放射性の鉱物による保温作用、マイナスイオン効果を備えた寝具として提供することができる。
また、本実施形態のシーツ１１では、ファスナー１９を開閉することで装着部１２にパイプ体５を挿抜して着脱できる。これによって、季節に応じてシーツ１１に装着するパイプ体５の本数を調節するといった操作を簡単に行うことができる。
【００２２】
（第３の実施の形態）
図４は、寝具の第３の実施の形態として構成した毛布２０の平面図を示す。本実施形態の毛布２０も上述したシーツ１０、１１におけると同様に、パイプ３に遠赤外線の放射性あるいはエネルギー放射性を有する鉱物とマイナスイオン発生鉱物の破砕物４を充填したパイプ体５を装着可能に設け、パイプ体５の装着本数を適宜調節可能に設けたことを特徴とする。
毛布２０は、外観上は通常の毛布と同様に、起毛性の外表地２１と外裏地２２とを備えるが、外観上は毛布２０の中央部に、毛布２０を幅方向に横断するように、ファスナー２３を設けたことにある。
【００２３】
図５に毛布２０の外表地２１と外裏地２２との間に挟んで内側に配置するインナー部材２８に装着するパイプ体５の平面配置を示す。パイプ体５は図のように、毛布２０の外表地２１に形成されるファスナー２３の配置位置を挟んで、頭部側と足部側に２分した領域に、各々、毛布２０の長手方向に対してパイプ体５の長手方向が平行になるようにして、互いに平行に複数本配置する。
なお、毛布２０の頭部側については、中央部側のパイプ体５ａの長さを短くして、頭部にパイプ体５ａが干渉しない配置としている。
【００２４】
インナー部材２８には、パイプ体５を所定間隔をあけて平行に配置するため、パイプ体５を配置する位置の中間に、パイプ体５を収納する部位が凹溝状になるように、パイプ体５の厚さ（外径）と同程度の厚さの不織布２４を配置し、パイプ体５が溝内に収納されるように形成している。すなわち、パイプ体５が収納される程度の厚さの平面状に形成された不織布２４に、パイプ体５を収納する位置に合わせて、パイプ体５の外径と同幅程度の抜き溝２４ａを形成する。抜き溝２４ａは毛布２０でファスナー２３が配置される中央部側が開口し、毛布２０の頭部側と足部側が閉止される、すなわち毛布２０の中央部側で開口するように形成する。
なお、インナー部材２８の中央部には、抜き溝２４ａの開口部から若干離間した配置に、毛布２０の幅方向に不織布２４ｂが配置されている。
【００２５】
図６に、毛布２０にパイプ体５を配置した位置における毛布２０の断面構造を示す。上述したインナー部材２８は、中表地２５と中裏地２６との間に不織布２４を挟む構造として形成されたものであり、不織布２４を中表地２５と中裏地２６とで挟むことによって、不織布２４の抜き溝２４ａ部分に、抜き溝２４ａの端縁部と中表地２５と中裏地２６とによって囲まれた袋状（空洞部）の装着部が形成され、この装着部にパイプ体５を挿入して装着することが可能になる。
【００２６】
図６では、中表地２５と中裏地２６と不織布２４によって囲まれて形成される装着部に前述したと同様のパイプ体５が装着されている状態を示す。
また、図６では、中表地２５と中裏地２６に各々外表地２１と外裏地２２が取り付けられること、毛布２０の中央部にファスナー２３が装着されていること、ファスナー２３が装着されている位置に不織布２４ｂが配置されていることを示す。
【００２７】
本実施形態の毛布の場合は、毛布２０を長手方向の中央部で二つ折りし、その状態でファスナー２３を開くことによって、インナー部材２８に形成されている装着部にパイプ体５を挿抜するようにしてパイプ体５を着脱するように使用する。すなわち、ファスナー２３を開くと、装着部の端部が毛布２０の中央部で開口した状態になるから、装着部の位置に合わせてパイプ体５を挿抜するようにすればよい。装着部にパイプ体５を挿入してファスナー２３を閉じれば、不織布２４ｂが装着部からパイプ体５を抜け止めし、パイプ体５が装着部に装着された状態で支持される。
【００２８】
本実施形態の毛布２０でも、毛布２０のインナー部材２８に装着部が多数個設けられ、パイプ体５は装着部に挿抜させるようにして着脱するから、これらの装着部に装着するパイプ体５の装着数を増減調節する操作も容易である。
また、本実施形態の毛布２０の場合も、第１の実施の形態として説明したシーツ１０と同様に、パイプ体５に充填した遠赤外線の放射性あるいはエネルギー放射性を備えた鉱物とマイナスイオン発生鉱物の破砕物４の作用によって、好適な保温作用およびマイナスイオン等による好適な安眠作用を得ることができる。
【００２９】
（第４の実施の形態）
図７は、寝具の第３の実施の形態としてリクライニング式のベッドに利用する例を示す。図７は折りたたみ式のベッドに利用する例で、上半身側と下半身側に２分割したリクライニング式ベッドの一対のマット３０、３０を覆うベッドカバー３１として構成した例を示す。本実施形態のベッドカバー３１も、前述した各実施形態におけると同様に、遠赤外線の放射性あるいはエネルギー放射性の鉱物を破砕して得た破砕物４とマイナスイオン発生鉱物の破砕物４をパイプ３に充填して形成したパイプ体５を、ベッドカバー３１の幅方向に、挿抜して装着可能に形成したものである。ベッドカバー３１の一方の側縁部には、パイプ体５をベッドカバー３１に着脱するためのファスナー３３が設けられている。
【００３０】
図８は、ベッドカバー３１にパイプ体５を装着した状態をパイプ体５の側方から見た状態を示す。図８(a)はベッドカバー３１のカバー生地に縫い付けるパイプ体５を装着する装着部３２が形成されたインナー部材３６を示す。インナー部材３６には、表生地３４と裏生地３５とでパイプ体５を挟んで収納する袋状の装着部３２が形成されている。
図８(b)は、ベッドカバー３１のカバー生地３１ａにインナー部材３６を縫い付けた状態を示す。カバー生地３１ａの周縁部はインナー部材３６の周縁部から外方に所定の長さ延出し、マット３０の下側に折りたたんで挿入することができるようになっている。
【００３１】
図９は、パイプ体５の端面側から見たインナー部材３６の構成を拡大して示す。インナー部材３６の表生地３４と裏生地３５との間には中綿３７が挟まれるようにして配置され、装着部３２は中綿を介して表生地３４と裏生地３５とで挟むようにしてパイプ体５を挿抜する袋状の領域を確保するように形成している。表生地３４と裏生地３５とで中綿３７を支持するため、インナー部材３６は所定間隔でミシンがけされ、インナー部材３６はまたカバー生地３１ａに縫い付けられる。
【００３２】
本実施形態のベッドカバー３１はベッドのマット３０の上面に敷いて使用するもので、前述した各実施形態と同様に、ファスナー３３を開いて装着部３２にパイプ体５を挿抜することによって、パイプ体５を装着することができる。
なお、ベッドカバー３１はリクライニング方式以外のベッドに使用することももちろん可能であり、ベッドの形式および大きさ等に応じて適宜デザインとすることができる。本実施形態のベッドカバー３１は、遠赤外線の放射材あるいはエネルギー放射性の鉱物を充填したパイプ体５がカバーに装着されているから、前述したシーツ１０および毛布２０と同様に効果的な保温作用およびマイナスイオンによる安眠作用を得ることができる。
【００３３】
なお、上記実施形態ではマット３０をカバーするベッドカバー３１に、遠赤外線の放射材あるいはエネルギー放射性の鉱物とマイナスイオン発生鉱物が充填されたパイプ体５を装着する構成としたが、ベッドを構成するマット自体、あるいは布団自体に、図７に示すと同様に多数本のパイプ体５を装着するように構成することも可能である。マット自体あるいは布団自体にパイプ体５を装着する場合には、できるだけマットあるいは布団の表面側（人が横臥する面で、人体に近い側）にパイプ体５が装着されるようにするのがよい。
【００３４】
また、上述した各実施形態において使用したパイプ体５を構成するパイプ３に、たとえば長手方向に２〜５ｍｍ間隔で、０．５ｍｍ径程度の小孔を貫通させて設けることにより、小孔を設けない場合にくらべてマイナスイオンの放射効率を２倍程度に高めることができる。パイプ体５からの遠赤外線の放射効率は小孔の有無には影響されるものではなく、パイプ３に小孔を設ける方法は、マイナスイオンによる作用効果を向上させる方法として有効である。
【図面の簡単な説明】
【００３５】
【図１】寝具の第１の実施の形態としてのシーツの構成を示す平面図(a)、側面図(b)、断面図(c)である。
【図２】寝具の第２の実施の形態としてのシーツの平面構成を示す説明図である。
【図３】シーツを端面方向から見た断面図である。
【図４】寝具の第３の実施の形態としての毛布の平面構成を示す説明図である。
【図５】毛布に装着されたパイプ体の平面配置を示す説明図である。
【図６】毛布の断面図である。
【図７】マットに装着されたパイプ体の平面配置を示す説明図である。
【図８】ベッドカバーに配置されたパイプ体の側面配置を示す説明図である。
【図９】ベッドカバーをパイプ体の端面方向から見た状態を示す説明図である。
【符号の説明】
【００３６】
３  パイプ
４  粉体
５、５ａ  パイプ体
６  装着部
１０、１１  シーツ
１０ａ  シーツ本体
１２  装着部
１４  表地
１６  裏地
１６ａ  パイプカバー部
１９、２３、３３  ファスナー
２０  毛布
２１  外表地
２２  外裏地
２４、２４ｂ  不織布
２４ａ  抜き溝
２８、３６  インナー部材
３０  マット
３１  ベッドカバー
３１ａ  カバー生地
３２  装着部
３４  表生地
３５  裏生地
【図１】
2006271506.tif 000003
【図２】
2006271506.tif 000004
【図３】
2006271506.tif 000005
【図４】
2006271506.tif 000006
【図５】
2006271506.tif 000007
【図６】
2006271506.tif 000008
【図７】
2006271506.tif 000009
【図８】
2006271506.tif 000010
【図９】
2006271506.tif 000011